(57)【要約】【課題】衣類を適度な乾き具合で乾燥運転を終了する。【解決手段】送風ファン１１により送風される乾燥用空気をヒートポンプ装置４の吸熱器８から放熱器６へと流して回転ドラム１へと導く風路１２と、回転ドラム内の衣類の抵抗値を検知する抵抗検知手段１５と、抵抗検知手段により衣類の乾燥度を検知する乾燥度検知手段１６と、放熱器の管路９を流れる冷媒の温度を検知する温度検知手段１０と、ヒートポンプ装置等を制御する制御手段１７とを備え、制御手段１７は、温度検知手段１０と乾燥度検知手段１６の情報より圧縮機５をＯＮ／ＯＦＦ制御するとともに、乾燥度検知手段１６により所定の乾燥度を検知してから乾燥運転を終了するまでの遅延時間を設定し、圧縮機５のＯＮ時間が設定された遅延時間に達すると乾燥運転を終了するようにしたものである。【選択図】図１
2013132417.tif 000002
【特許請求の範囲】
【請求項１】
衣類等を収容し乾燥させる回転ドラムと、前記回転ドラムを回転駆動するモータと、誘導モータにより駆動する圧縮機と圧縮された冷媒の熱を放熱する放熱器と高圧の冷媒の圧力を減圧するための絞り手段と減圧されて低圧となった冷媒が周囲から熱を奪う吸熱器とを冷媒が循環するように管路で連結したヒートポンプ装置と、前記ヒートポンプ装置により加熱された温風を前記回転ドラムへ送風する送風ファンと、前記送風ファンにより送風される乾燥用空気を前記吸熱器から前記放熱器へと流して前記回転ドラムへと導く風路と、前記回転ドラム内の衣類の抵抗値を検知する抵抗検知手段と、前記抵抗検知手段により衣類の乾燥度を検知する乾燥度検知手段と、前記放熱器の前記管路を流れる冷媒の温度を検知する温度検知手段と、前記ヒートポンプ装置等を制御する制御手段とを備え、前記制御手段は、前記温度検知手段と前記乾燥度検知手段の情報より前記圧縮機をＯＮ／ＯＦＦ制御するとともに、前記乾燥度検知手段により所定の乾燥度を検知してから乾燥運転を終了するまでの遅延時間を設定し、前記圧縮機のＯＮ時間が設定された遅延時間に達すると乾燥運転を終了するようにした衣類乾燥機。
【請求項２】
制御手段は、遅延時間の間は温度検知手段の第１の設定温度より高い第２の設定温度で圧縮機を停止するようにした請求項１記載の衣類乾燥機。
【請求項３】
制御手段は、温度検知手段により冷媒の圧力がバランスしている第３の設定温度を検知すると圧縮機を再駆動するようにした請求項１または２記載の衣類乾燥機。
【請求項４】
制御手段は、圧縮機を停止してから冷媒の圧力がバランスする所定時間の経過後に再駆動するようにした請求項１または２記載の衣類乾燥機。
【発明の詳細な説明】
【技術分野】
【０００１】
本発明は、衣類等の乾燥をおこなう衣類乾燥機に関するものである。
【背景技術】
【０００２】
従来、この種の衣類乾燥機は、乾燥度検出手段により検知した情報に基づいて乾燥運転を自動的に終了することが考えられている（例えば、特許文献１参照）。
【０００３】
図１１は、特許文献１に記載された従来の衣類乾燥機を示すものである。図１１に示すように、本体５１の下部に駆動源となるモータ５２を設けており、このモータ５２によって本体５１の背面側に設けた送風ファン５３および回転ドラム５４を回転させるようにしている。また、本体５１の正面側に熱源となるヒータ５５を配設し、送風ファン５３の回転によりヒータ５５を通って加熱された温風が、温風吹出口５６を通して回転ドラム５４内に導入され、回転ドラム５４内に収容された衣類が加熱乾燥される。送風経路の一部を形成する回転ドラム５４の奥壁にフィルター５７を装着し、衣類から出るリントが機外へ放出されないようにしている。矢印Ａは風の流れを示している。
【０００４】
また、運転中は、回転ドラム５４内で撹拌されている衣類が接触するように電極５８が設けられている。この電極５８は、図１２に示すように２個の導電部材５８ａと、この導電部材５８ａを電気的に絶縁する絶縁部材５８ｂとで構成され、導電部材５８ａに衣類が接触することにより導電部材５８ａ間の抵抗値を検出することによって衣類の乾燥状態を検知するようにしている。
【０００５】
そして、図１３に示すように、導電部材５８ａ間の検出抵抗値Ｒが所定時間Ｔ１連続して設定値ａよりも大きくなった時刻ｔ２より、一定の遅延時間Ｔ３が経過した時刻ｔ４において運転を終了するようにしている。一定の遅延時間Ｔ３の間は、通常時の設定と変わらないヒータ入力が入っている。なお、遅延時間Ｔ３を設定するのは、時刻ｔ２においては乾燥が不十分であるためである。
【０００６】
また、衣類の乾燥にヒートポンプ装置を用いることが考えられている。ヒートポンプ装置は、少ないエネルギーで効率よく衣類を乾燥させることができる。この場合、圧縮機を駆動するモータをインバータ制御によって回転数を可変し、圧縮機の駆動を停止することなく、冷媒を所定の温度で安定的に作動させるようにしたものが一般的である（例えば、特許文献２参照）。
【先行技術文献】
【特許文献】
【０００７】
【特許文献１】特開平６−３２７８９９号公報
【特許文献２】特開２００４−３５８０２８号公報
【発明の概要】
【発明が解決しようとする課題】
【０００８】
しかしながら、前記従来の構成では、ヒートポンプ装置が高価であることから、経済的な誘導モータにより一定速で駆動する圧縮機で構成することが考えられる。このような構成の圧縮機は、動作のＯＮ／ＯＦＦによって冷媒が所定の温度に維持される。圧縮機を停止すると、すぐには再駆動させることができないため、所定の乾燥度を検知してから乾燥運転を終了するまでの遅延時間に、圧縮機の動作が停止すると乾燥能力が低下し、設定された遅延時間で衣類を良好な乾燥状態にすることが難しいという課題があった。
【０００９】
本発明は、前記従来の課題を解決するもので、衣類を良好な乾燥状態で乾燥運転を終了することができる衣類乾燥機を提供することを目的とする。
【課題を解決するための手段】
【００１０】
前記従来の課題を解決するために、本発明の衣類乾燥機は、ヒートポンプ装置により加熱された温風を回転ドラムへ送風する送風ファンと、前記送風ファンにより送風される乾燥用空気を吸熱器から放熱器へと流して前記回転ドラムへと導く風路と、前記回転ドラム内の衣類の抵抗値を検知する抵抗検知手段と、前記抵抗検知手段により衣類の乾燥度を検知する乾燥度検知手段と、前記放熱器の管路を流れる冷媒の温度を検知する温度検知手段と、前記ヒートポンプ装置等を制御する制御手段とを備え、前記制御手段は、前記温度検知手段と前記乾燥度検知手段の情報より前記圧縮機をＯＮ／ＯＦＦ制御するとともに、前記乾燥度検知手段により所定の乾燥度を検知してから乾燥運転を終了するまでの遅延時間を設定し、前記圧縮機のＯＮ時間が設定された遅延時間に達すると乾燥運転を終了するようにしたものである。
【００１１】
これにより、所定の乾燥度を検知してから乾燥運転を終了するまでの遅延時間に、圧縮機がＯＮ／ＯＦＦ動作をしても、設定された遅延時間で衣類を良好な乾燥状態で運転を終了することができる。
【発明の効果】
【００１２】
本発明の衣類乾燥機は、衣類を良好な乾燥状態で乾燥運転を終了することができる。
【図面の簡単な説明】
【００１３】
【図１】本発明の実施の形態１の衣類乾燥機のヒートポンプ装置のシステム概念図
【図２】同衣類乾燥機のブロック図
【図３】同衣類乾燥機の要部断面図
【図４】同衣類乾燥機の要部断面図
【図５】同衣類乾燥機の電極の斜視図
【図６】同衣類乾燥機の通常時の乾燥度検知手段の出力特性と温度検知手段およびヒートポンプ装置の圧縮機の動作を示すグラフ
【図７】同衣類乾燥機のフィルターが目詰まりしているときの乾燥度検知手段の出力特性と温度検知手段およびヒートポンプ装置の圧縮機の動作を示すグラフ
【図８】本発明の実施の形態２の衣類乾燥機の乾燥度検知手段の出力特性と温度検知手段およびヒートポンプ装置の圧縮機の動作を示すグラフ
【図９】本発明の実施の形態３の衣類乾燥機の乾燥度検知手段の出力特性と温度検知手段およびヒートポンプ装置の圧縮機の動作を示すグラフ
【図１０】本発明の実施の形態４の衣類乾燥機の乾燥度検知手段の出力特性と温度検知手段およびヒートポンプ装置の圧縮機の動作を示すグラフ
【図１１】従来の衣類乾燥機の要部断面図
【図１２】同衣類乾燥機の電極の斜視図
【図１３】同衣類乾燥機の抵抗検知部の出力特性図
【発明を実施するための形態】
【００１４】
第１の発明は、衣類等を収容し乾燥させる回転ドラムと、前記回転ドラムを回転駆動するモータと、誘導モータにより駆動する圧縮機と圧縮された冷媒の熱を放熱する放熱器と高圧の冷媒の圧力を減圧するための絞り手段と減圧されて低圧となった冷媒が周囲から熱を奪う吸熱器とを冷媒が循環するように管路で連結したヒートポンプ装置と、前記ヒートポンプ装置により加熱された温風を前記回転ドラムへ送風する送風ファンと、前記送風ファンにより送風される乾燥用空気を前記吸熱器から前記放熱器へと流して前記回転ドラムへと導く風路と、前記回転ドラム内の衣類の抵抗値を検知する抵抗検知手段と、前記抵抗検知手段により衣類の乾燥度を検知する乾燥度検知手段と、前記放熱器の前記管路を流れる冷媒の温度を検知する温度検知手段と、前記ヒートポンプ装置等を制御する制御手段とを備え、前記制御手段は、前記温度検知手段と前記乾燥度検知手段の情報より前記圧縮機をＯＮ／ＯＦＦ制御するとともに、前記乾燥度検知手段により所定の乾燥度を検知してから乾燥運転を終了するまでの遅延時間を設定し、前記圧縮機のＯＮ時間が設定された遅延時間に達すると乾燥運転を終了するようにしたことにより、所定の乾燥度を検知してから乾燥運転を終了するまでの遅延時間に、圧縮機がＯＮ／ＯＦＦ動作をしても、設定された遅延時間で衣類を良好な乾燥状態で運転を終了することができ、ヒートポンプ装置により少ないエネルギーで効率よく衣類を乾燥させることができる衣類乾燥機を経済的に実現することができる。
【００１５】
第２の発明は、特に、第１の発明の制御手段は、遅延時間の間は温度検知手段の第１の設定温度より高い第２の設定温度で圧縮機を停止するようにしたことにより、遅延時間の間に圧縮機がＯＮ／ＯＦＦ動作をしても、衣類を適度な乾き具合で運転を終了することができる。また、圧縮機の駆動時間を長くして冷媒の温度を高めることができるので、乾燥時間を短縮することができる。
【００１６】
第３の発明は、特に、第１または第２の発明の制御手段は、温度検知手段により冷媒の圧力がバランスしている第３の設定温度を検知すると圧縮機を再駆動するようにしたことにより、遅延時間の間に圧縮機がＯＮ／ＯＦＦ動作をしても、衣類を適度な乾き具合で運転を終了することができる。また、圧縮機の駆動、停止を頻繁に行わないようにして圧縮機の信頼性を向上することができる。
【００１７】
第４の発明は、特に、第１または第２の発明の制御手段は、圧縮機を停止してから冷媒の圧力がバランスする所定時間の経過後に再駆動するようにしたことにより、遅延時間の間に圧縮機がＯＮ／ＯＦＦ動作をしても、衣類を適度な乾き具合で運転を終了することができる。また、圧縮機の駆動、停止を頻繁に行わないようにして圧縮機の信頼性を向上することができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における衣類乾燥機のヒートポンプ装置のシステム概念図、図２は、同衣類乾燥機のブロック図、図３および図４は、同衣類乾燥機の要部断面図、図５は、同衣類乾燥機の電極の斜視図である。
【００２０】
図１〜図５において、衣類等の乾燥対象Ｃを入れて乾燥させる回転ドラム１は、衣類乾燥機の本体２内に回転自在に設け、モータ３の駆動によりベルト（図示せず）を介して回転させるようにしている。ヒートポンプ装置４は、圧縮機５と、この圧縮機５で圧縮された冷媒の熱を放熱する放熱器６と、高圧の冷媒の圧力を減圧するための絞り弁や毛細管等からなる絞り手段７と、減圧されて低圧となった冷媒が周囲から熱を奪う吸熱器８とを冷媒が循環するように管路９で連結されており、冷媒は図１の矢印Ｂの方向に流れて循環し、ヒートポンプサイクルを実現する。温度検知手段１０は、放熱器６の管路９に設けて冷媒の温度を検知するようにしている。
【００２１】
乾燥用空気は、モータ３の駆動によりベルト（図示せず）を介して送風ファン１１を回転させて風路１２に送風し、ヒートポンプ装置４の吸熱器８から放熱器６を通過した後、衣類等を入れた乾燥室としての回転ドラム１へと導かれ、風路１２に配設された吸熱器８および放熱器６と、回転ドラム１との間を循環する。
【００２２】
吸熱器８では、回転ドラム１内の湿った衣類と接触して多湿となった乾燥用空気を冷却除湿し、放熱器６では、吸熱器８で除湿された乾いた低温の乾燥用空気を再加熱して回転ドラム１へと送り込む。フィルター１３は、回転ドラム１の後面の中央部に着脱可能に取り付けられ、乾燥用空気中の衣類から発生したリントやほこりを捕捉し回収する。
【００２３】
衣類Ｃの乾燥度を検出する電極１４は、乾燥運転中は、回転ドラム１内の衣類Ｃに接触するように回転ドラム１内に配設している。電極１４は、金属製の２個の導電部材１４ａと、この導電部材１４ａを電気的に絶縁する絶縁部材１４ｂとで構成され、導電部材１４ａに回転ドラム１内で撹拌されている衣類Ｃが接触することによって、導電部材１４ａ間の抵抗値を検知し、衣類Ｃの乾燥状態を検出するようにしている。
【００２４】
抵抗検知手段１５は、乾燥運転中に回転ドラム１内の衣類が電極１４の２個の導電部材１４ａ間に跨って接触した衣類の抵抗値を検出するもので、乾燥度検知手段１６は、抵抗検知手段１５によって検知した衣類の抵抗値が、所定の値よりも小さくなったことを検出した回数の時間変化の情報より衣類の乾燥度を検出する。
【００２５】
制御手段１７は、温度検知手段１０と乾燥度検知手段１６の情報が入力され、モータ３と、ヒートポンプ装置４の圧縮機５および送風ファン１１等を制御し、乾燥運転を制御する。誘導モータにより駆動する圧縮機５は、制御手段１７により一定速で駆動し、温度検知手段１０の情報により駆動、停止を制御する。
【００２６】
以上のように構成された衣類乾燥機について、以下その動作、作用を説明する。まず、本体２の前面に開閉自在に設けられた扉１８を開いて乾燥対象Ｃの衣類を回転ドラム１内に投入し、乾燥運転を開始すると、モータ３が駆動し、回転ドラム１および送風ファン１１が回転して風路１２に乾燥用空気の流れ（矢印Ａ）が生じる。乾燥用空気は、回転ドラム１内の衣類から水分を奪って多湿となった後、風路１２内を通ってヒートポンプ装置４の吸熱器８へ導かれる。
【００２７】
吸熱器８で低温の冷媒に熱を奪われた乾燥用空気は、冷却除湿されて乾いた低温の空気となって放熱器６へ運ばれる。吸熱器８で吸熱された熱量に、圧縮機５からの熱量が加わって高温となった冷媒からの放熱で加熱され、吹き出し口１９から再び回転ドラム１内へと循環される。以上の繰り返しで衣類の乾燥が進行する。
【００２８】
図６は、フィルター１３が目詰まりしていないときや、部屋の温度が高くない通常時の乾燥度検知手段１６および温度検知手段１０の出力特性と、ヒートポンプ装置４の圧縮機５の動作の時間変化を示し、図７は、フィルター１３が目詰まりしているときや、部屋の温度が高いときの乾燥度検知手段１６および温度検知手段１０の出力特性と、ヒートポンプ装置４の圧縮機５の動作の時間変化を示したものである。
【００２９】
図６および図７の各々の（ａ）は、平均的な普通の衣類を乾燥させたときの、単位時間当りに乾燥度検知手段１６によって衣類の抵抗値が所定の値よりも小さいことを検知した回数Ｙの時間変化を示したものである。
【００３０】
運転開始当初には、各々ｙ１、ｙ２であったものが、乾燥の進行によって徐々に回数が減少し、時刻ｔ５、ｔ８において０となる。フィルター１３が目詰まりしていないときや、冬場など部屋の温度が高くないときは、十分な風量があり、また、本体２からの放熱もあるので、温度検知手段１０により検知した温度は、図６（ｂ）に示すようにｔｈ１に達しない。
【００３１】
フィルター１３が目詰まりしているときや、夏場など部屋の温度が高いときは、十分な風量がなく、また、本体２からの放熱も少なくなるので、温度検知手段１０により検知した温度は、図７（ｂ）に示すようにｔｈ１に達するようになる。
【００３２】
制御手段１７は、乾燥度検知手段１６のｙ１、ｔ５およびｙ２、ｔ８から遅延時間Ｔ６ａ、Ｔ９ａを決定し、乾燥運転を継続して行う。このとき通常時は、図６（ｂ）に示すように、温度検知手段１０がｔｈ１に達していないので、圧縮機５は、図６（ｃ）に示すように駆動し続けている。
【００３３】
そのため、Ｔ６とＴ６ａは等しくなり、ｔ７で運転を終了する。フィルター１３が目詰まりしているときや、夏場など部屋の温度が高いときは、図７（ｂ）に示すように温度検知手段１０がｔｈ１に達するので、圧縮機５は、図７（ｃ）に示すように、温度検知手段１０がｔｈ１に達するので、駆動、停止を繰り返しながら乾燥運転を継続して行う。
【００３４】
そのため、Ｔ９はＴ９ａより長くなり、乾燥運転はｔ１０で終了する。例えば、図７（ｃ）に示すように、乾燥度検知手段１６が検知した時間ｔ８以降の圧縮機５が駆動しているＯＮ時間の和（Ｓ１＋Ｓ２＋Ｓ３＋Ｓ４）がＴ９ａになる。
【００３５】
このように、制御手段１７は、圧縮機５の駆動しているＯＮ時間を遅延時間として制御しているので、ヒートポンプ装置４の圧縮機５がＯＮ／ＯＦＦ動作を繰り返しても、衣類が適度な乾き具合で乾燥運転を終了することができる。
【００３６】
以上のように、本実施の形態においては、衣類等を収容し乾燥させる回転ドラム１と、回転ドラム１を回転駆動するモータ３と、誘導モータにより駆動する圧縮機５と圧縮された冷媒の熱を放熱する放熱器６と高圧の冷媒の圧力を減圧するための絞り手段７と減圧されて低圧となった冷媒が周囲から熱を奪う吸熱器８とを冷媒が循環するように管路９で連結したヒートポンプ装置４と、ヒートポンプ装置４により加熱された温風を回転ドラム１へ送風する送風ファン１１と、送風ファン１１により送風される乾燥用空気を吸熱器８から放熱器６へと流して回転ドラム１へと導く風路１２と、回転ドラム１内の衣類の抵抗値を検知する抵抗検知手段１５と、抵抗検知手段１５により衣類の乾燥度を検知する乾燥度検知手段１６と、放熱器６の管路９を流れる冷媒の温度を検知する温度検知手段１０と、ヒートポンプ装置４等を制御する制御手段１７とを備え、制御手段１７は、温度検知手段１０と乾燥度検知手段１６の情報より圧縮機５をＯＮ／ＯＦＦ制御するとともに、乾燥度検知手段１６により所定の乾燥度を検知してから乾燥運転を終了するまでの遅延時間を設定し、圧縮機５のＯＮ時間が設定された遅延時間に達すると乾燥運転を終了するようにしたものであり、所定の乾燥度を検知してから乾燥運転を終了するまでの遅延時間に、圧縮機５がＯＮ／ＯＦＦ動作をしても、設定された遅延時間で衣類を良好な乾燥状態で運転を終了することができ、ヒートポンプ装置４により少ないエネルギーで効率よく衣類を乾燥させることができるものである。
【００３７】
（実施の形態２）
図８は、本発明の第２の実施の形態における乾燥度検知手段１６および温度検知手段１０の出力特性と、ヒートポンプ装置４の圧縮機５の動作の時間変化を示したものである。本実施の形態の特徴は、遅延時間の間は、温度検知手段１０の第１の設定温度より高い第２の設定温度で圧縮機５の動作を停止するようにしたものである。他の構成は実施の形態１と同じであり、同一の構成に同一の符号を付して、詳細な説明は実施の形態１のものを援用する。
【００３８】
図８（ａ）は、図７（ａ）と同様に衣類を乾燥させたときの、単位時間当りに乾燥度検知手段１６によって衣類の抵抗値が所定の値よりも小さいことを検知した回数Ｙの時間変化を示したものである。
【００３９】
運転開始当初にはｙ２であったものが、乾燥の進行によって徐々に回数が減少し、時刻ｔ８において０となる。制御手段１７は、乾燥度検知手段１６のｙ２とｔ８から遅延時間Ｔ１１を決定し、乾燥運転を継続して行う。
【００４０】
図８（ｂ）は、温度検知手段１０で検知した温度の変化で、図７（ｂ）と同様に、フィルター１３が目詰まりしているときや、夏場など部屋の温度が高いときは、十分な風量がなく、また、本体２からの放熱も少なくなるので、温度検知手段１０の検知した温度はｔｈ１に達するようになる。
【００４１】
ここで、制御手段１７は、図８（ｃ）に示すように、遅延時間Ｔ１１の間は温度検知手段１０の第１の設定温度ｔｈ１より高い第２の設定温度ｔｈ２で圧縮機５を停止するように制御しており、圧縮機５が駆動しているＯＮ時間の和（Ｓ５＋Ｓ６＋Ｓ７）がＴ１１ａになる。したがって、Ｔ１１ａが設定された遅延時間Ｔ１１に達すると乾燥運転を終了する。また、図７と同じ条件のもとで乾燥運転をした場合は、図７のＴ９に対してＴ１１は短くなり、乾燥運転が終了するｔ１２はｔ１０より早くなる。
【００４２】
このように、制御手段１７は、遅延時間Ｔ１１の間は温度検知手段１０の第１の設定温度ｔｈ１より高い第２の設定温度ｔｈ２で圧縮機５を停止するように制御しているので、駆動、停止を繰り返しても衣類が適度な乾き具合で乾燥運転を終了することができ、また乾燥時間も短縮することができる。
【００４３】
（実施の形態３）
図９は、本発明の第３の実施の形態における乾燥度検知手段１６および温度検知手段１０の出力特性と、ヒートポンプ装置４の圧縮機５の動作の時間変化を示したものである。本実施の形態の特徴は、温度検知手段１０により冷媒の圧力がバランスしている第３の設定温度を検知すると圧縮機５を再駆動するようにしたものである。他の構成は実施の形態１と同じであり、同一の構成に同一の符号を付して、詳細な説明は実施の形態１のものを援用する。
【００４４】
図９（ｃ）に示すように、温度検知手段１０の検知温度が、冷媒の圧力がバランスしているｔｈ３になった時に、圧縮機５を再駆動するようにしている。これにより、冷媒の圧力がバランスするまで圧縮機５を停止状態に維持することができ、圧縮機５の駆動、停止を頻繁に行わないようにして圧縮機５の信頼性を向上することができるものである。
【００４５】
（実施の形態４）
図１０は、本発明の第４の実施の形態における乾燥度検知手段１６および温度検知手段１０の出力特性と、ヒートポンプ装置４の圧縮機５の動作の時間変化を示したものである。本実施の形態の特徴は、圧縮機５を停止してから冷媒の圧力がバランスする所定時間の経過後に再駆動するようにしたものである。他の構成は実施の形態１と同じであり、同一の構成に同一の符号を付して、詳細な説明は実施の形態１のものを援用する。
【００４６】
図１０（ｃ）に示すように、圧縮機５を停止してから一定の停止時間Ｆを設け、冷媒の圧力がバランスする所定時間の経過後に再駆動するようにしている。これにより、冷媒の圧力がバランスするまで圧縮機５を停止状態に維持することができ、圧縮機５の駆動、停止を頻繁に行わないようにして、圧縮機５の信頼性を向上することができるものである。
【産業上の利用可能性】
【００４７】
以上のように、本発明にかかる衣類乾燥機は、衣類を良好な乾燥状態で乾燥運転を終了することができるので、衣類乾燥機として有用である。
【符号の説明】
【００４８】
１    回転ドラム
３    モータ
４    ヒートポンプ装置
５    圧縮機
６    放熱器
７    絞り手段
８    吸熱器
９    管路
１０  温度検知手段
１１  送風ファン
１２  風路
１５  抵抗検知手段
１６  乾燥度検知手段
１７  制御手段
【図１】
2013132417.tif 000003
【図２】
2013132417.tif 000004
【図３】
2013132417.tif 000005
【図４】
2013132417.tif 000006
【図５】
2013132417.tif 000007
【図６】
2013132417.tif 000008
【図７】
2013132417.tif 000009
【図８】
2013132417.tif 000010
【図９】
2013132417.tif 000011
【図１０】
2013132417.tif 000012
【図１１】
2013132417.tif 000013
【図１２】
2013132417.tif 000014
【図１３】
2013132417.tif 000015